(57)【要約】【課題】  サブピクセルの黒表示に起因する表示特性の劣化を抑止する。【解決手段】  各々が異なるカラーフィルタを有する複数のサブピクセルによって構成されるピクセルがストライプ配列された第１透過型液晶ライトバルブ３と、各々が異なるカラーフィルタを有する複数のサブピクセルによって構成されるピクセルがストライプ配列された第２透過型液晶ライトバルブ４と、上記第１透過型液晶ライトバルブ３によって変調された照明光及び上記第２透過型液晶ライトバルブ４によって変調された照明光を画像表示面７に投影する光学系８とを備える画像表示装置であって、上記第１透過型液晶ライトバルブ３の所定サブピクセルを透過する照明光の上記画像表示面７における表示領域と、上記第２透過型液晶ライトバルブ４の上記所定サブピクセルと同一色のカラーフィルタを有する同一色サブピクセルを透過する照明光の上記画像表示面７における表示領域とがずれている。【選択図】              図１
2006208922.tif 000002
【特許請求の範囲】
【請求項１】
各々が異なるカラーフィルタを有する複数のサブピクセルによって構成されるピクセルがストライプ配列された第１透過型液晶ライトバルブと、各々が異なるカラーフィルタを有する複数のサブピクセルによって構成されるピクセルがストライプ配列された第２透過型液晶ライトバルブと、前記第１透過型液晶ライトバルブによって変調された照明光及び前記第２透過型液晶ライトバルブによって変調された照明光を画像表示面に投影する光学系とを備える画像表示装置であって、
前記第１透過型液晶ライトバルブの所定サブピクセルを透過する照明光の前記画像表示面における表示領域と、前記第２透過型液晶ライトバルブの前記所定サブピクセルと同一色のカラーフィルタを有する同一色サブピクセルを透過する照明光の前記画像表示面における表示領域とがずらされていることを特徴とする画像表示装置。
【請求項２】
前記ピクセルが、赤色カラーフィルタを有するサブピクセルと緑色カラーフィルタを有するサブピクセルと青色カラーフィルタを有するサブピクセルとによって構成されていることを特徴とする請求項１記載の画像表示装置。
【請求項３】
前記ピクセルが平面視で縦方向に長い矩形状の複数のサブピクセルによって構成され、前記第１透過型液晶ライトバルブの所定サブピクセルを透過する照明光の前記画像表示面における表示領域と、前記第２透過型液晶ライトバルブの前記所定サブピクセルと同一色のカラーフィルタを有する同一色サブピクセルを透過する照明光の前記画像表示面における表示領域とが、サブピクセルの横方向に前記ピクセルの幅の１／３〜２／３ずらされていることを特徴とする請求項１または２記載の画像表示装置。
【請求項４】
前記第１透過型液晶ライトバルブの前記ピクセルが平面視で縦方向に長い矩形状の複数のサブピクセルによって構成され、前記第２透過型液晶ライトバルブの前記ピクセルが平面視で横方向に長い矩形状の複数のサブピクセルによって構成されていることを特徴とする請求項１または２記載の画像表示装置。
【発明の詳細な説明】
【技術分野】
【０００１】
本発明は、画像表示装置に関するものである。
【背景技術】
【０００２】
近年、立体画像表示装置のように、２台のプロジェクタを備える画像表示装置が提案されている。例えば、立体画像表示装置の場合には、一方のプロジェクタによって画像表示面に視差画像のうち右目用画像を表示し、他方のプロジェクタによって画像表示面に視差画像のうち左目用画像を表示し、右目用画像を鑑賞者の右目のみに到達させ、左目用画像を鑑賞者の左目のみに到達させることで、鑑賞者に立体画像を視認させている。
より詳細には、例えば、鑑賞者が装着する眼鏡の右目用透過部と左目用透過部とを偏光方向の異なる偏光板によって構成し、右目用画像と左目用画像の偏光方向を異ならせることによって、右目用画像を鑑賞者の右目のみに到達させ、左目用画像を鑑賞者の左目のみに到達させている。
【０００３】
このような立体画像表示装置は、鑑賞者に対して立体画像のみを視認させるものではなく、鑑賞者に対して平面画像を視認させることも可能である。このような場合には、一方のプロジェクタによって表示される画像と他方のプロジェクタによって表示される画像を同一の画像とし、これらの画像を画像表示面において重ね合わせることによって鑑賞者に対して平面画像を視認させている。なお、平面画像を鑑賞する場合には、鑑賞者は一般的に眼鏡を取り外している。
【０００４】
ところで、立体画像表示装置に限らず、ＲＧＢの三色を画像表示面に表示することによってフルカラー画像を形成する画像表示装置では、表示画像を形成するにあたって、黒表示とされるサブピクセルが存在する場合がある。例えば、赤色の表示画像を形成する場合には、緑色を表示するためのサブピクセルと青色を表示するためのサブピクセルとが黒表示とされる。このため、画像表示面上に黒表示領域が連続することとなり、鑑賞者が画像表示面上に黒筋を視認する場合がある。
そして、立体画像表示装置等の２台のプロジェクタを有する画像表示装置は、予め２台のプロジェクタを有しているため、これらの２台のプロジェクタを駆使して上述の黒筋等に起因する表示特性の劣化を防止する試みがなされている。例えば、特許文献１には、一方のプロジェクタが備える液晶ライトバルブのピクセルと他方のプロジェクタが備える液晶ライトバルブのピクセルとをデルタ配列とし、かつ、一方の液晶ライトバルブに対して他方の液晶ライトバルブのピクセルが１サブピクセル（１画素）分だけ水平方向にずれて表示されるように各液晶ライトバルブを配置している。
【特許文献１】特開平９−１７９０９１号公報
【発明の開示】
【発明が解決しようとする課題】
【０００５】
しかしながら、現状においては、プロジェクタが有する液晶ライトバルブは、ほとんどのものがピクセルをストライプ配列したたものである。
このため、ピクセルがストライプ配列された液晶ライトバルブを有するプロジェクタが２台設置された画像表示装置における表示特性の劣化を抑止するための技術が望まれている。
【０００６】
本発明は、上述する問題点に鑑みてなされたもので、サブピクセルの黒表示に起因する表示特性の劣化を抑止することを目的とする。
【課題を解決するための手段】
【０００７】
上記目的を達成するために、本発明の画像表示装置は、各々が異なるカラーフィルタを有する複数のサブピクセルによって構成されるピクセルがストライプ配列された第１透過型液晶ライトバルブと、各々が異なるカラーフィルタを有する複数のサブピクセルによって構成されるピクセルがストライプ配列された第２透過型液晶ライトバルブと、上記第１透過型液晶ライトバルブによって変調された照明光及び上記第２透過型液晶ライトバルブによって変調された照明光を画像表示面に投影する光学系とを備える画像表示装置であって、上記第１透過型液晶ライトバルブの所定サブピクセルを透過する照明光の上記画像表示面における表示領域と、上記第２透過型液晶ライトバルブの上記所定サブピクセルと同一色のカラーフィルタを有する同一色サブピクセルを透過する照明光の上記画像表示面における表示領域とがずらされていることを特徴とする。
【０００８】
このような特徴を有する本発明の画像表示装置によれば、第１透過型液晶ライトバルブの所定サブピクセルを透過する照明光の画像表示面における表示領域と、第２透過型液晶ライトバルブの上記所定サブピクセルと同一色のカラーフィルタを有する同一色サブピクセルを透過する照明光の画像表示面における表示領域とがずらされる。このため、平面画像を表示する場合において、従来の画像表示装置のように、第１透過型液晶ライトバルブの所定サブピクセルを透過する照明光の画像表示面における表示領域と、第２透過型液晶ライトバルブの上記所定サブピクセルと同一色のカラーフィルタを有する同一色サブピクセルを透過する照明光の画像表示面における表示領域とが完全に重なり合わないため、黒表示の領域を減少させることができる。したがって、本発明の画像表示装置によれば、サブピクセルの黒表示に起因する表示特性の劣化を抑止することが可能となる。
【０００９】
また、本発明の画像表示装置において、上記ピクセルが平面視で縦方向に長い矩形状の複数のサブピクセルによって構成されている場合には、上記第１透過型液晶ライトバルブの所定サブピクセルを透過する照明光の上記画像表示面における表示領域と、上記第２透過型液晶ライトバルブの上記所定サブピクセルと同一色のカラーフィルタを有する同一色サブピクセルを透過する照明光の上記画像表示面における表示領域とが、サブピクセルの横方向に上記ピクセルの幅の１／３〜２／３ずらされているという構成を採用することが好ましい。
このような構成を採用することによって、第１透過型液晶ライトバルブの所定サブピクセルを透過する照明光の画像表示面における表示領域と、第２透過型液晶ライトバルブの上記所定サブピクセルと同一色のカラーフィルタを有する同一色サブピクセルを透過する照明光の画像表示面における表示領域とが、重なり合う領域をより減少させることができ、より黒表示の領域を減少させることができる。例えば、１ピクセルが３つのサブピクセルによって構成されている場合には、第１透過型液晶ライトバルブの所定サブピクセルを透過する照明光の画像表示面における表示領域と、第２透過型液晶ライトバルブの上記所定サブピクセルと同一色のカラーフィルタを有する同一色サブピクセルを透過する照明光の画像表示面における表示領域とが、重なり合う領域を無くすことができ、より黒表示の領域を減少させることができる。
【００１０】
また、本発明の画像表示装置においては、上記第１透過型液晶ライトバルブの上記ピクセルを平面視で縦方向に長い矩形状の複数のサブピクセルによって構成し、上記第２透過型液晶ライトバルブの上記ピクセルを平面視で横方向に長い矩形状の複数のサブピクセルによって構成することによって、黒表示の領域を減少させ、サブピクセルの黒表示に起因する表示特性の劣化を抑止することが可能となる。
【００１１】
また、本発明の画像表示装置においては、上記ピクセルを、赤色カラーフィルタを有するサブピクセルと緑色カラーフィルタを有するサブピクセルと青色カラーフィルタを有するサブピクセルとによって構成することができる。
このような構成を採用することによって、フルカラー表示が可能な画像表示装置とすることができる。  
【発明を実施するための最良の形態】
【００１２】
以下、図面を参照して、本発明に係る画像表示装置の一実施形態について説明する。
【００１３】
（第１実施形態）
図１は、本第１実施形態の画像表示装置Ｓ１の構成を模式的に示した概略構成図である。この図において、符号１がランプ光源、２が第１偏光ビームスプリッタ、３が第１液晶ライトバルブ（第１透過型液晶ライトバルブ）、４が第２液晶ライトバルブ（第２透過型液晶ライトバルブ）、５が第２偏光ビームスプリッタ、６が投射レンズ（光学系）、７がスクリーン（画像表示面）である。
【００１４】
ランプ光源１は白色光を照明光として射出するものであり、超高圧水銀ランプやキセノンランプ等からなるランプと、ランプから射出された白色光を反射・集光するリフレクタとを備えて構成されている。なお、ランプ光源１の代わりに白色ＬＥＤ（Light Emitting Diode）等を用いることもできる。
【００１５】
第１偏光ビームスプリッタ２は、ランプ光源１から入射される照明光を縦偏光光と横偏光光とに分離するものである。なお、本実施形態においては、第１偏光ビームスプリッタ２は、照明光のうち縦偏光光を透過し、横偏光光を図１の紙面下方向に反射することによって、照明光を分離するものとする。
【００１６】
第１液晶ライトバルブ３は透過型の液晶ライトバルブであり、第１偏光ビームスプリッタ２によって分光された照明光のうち縦偏光光が照射される位置に配置されている。図２は、第１液晶ライトバルブ３の一部を拡大した平面図である。この図に示すように、第１液晶ライトバルブ３は、赤色カラーフィルタを有するサブピクセルＲ１と、緑色カラーフィルタを有するサブピクセルＧ１と、青色カラーフィルタを有するサブピクセルＢ１とが隣接配置されることによって構成されるピクセルＰ１がストライプ配列されている。
なお、本実施形態においては、第１液晶ライトバルブ３は、照明光を透過する際には、その偏光方向を変化させることなく透過するものとする。また、図２に示すように、本実施形態においては、液晶ライトバルブ３のサブピクセルＲ１，Ｒ２，Ｒ３が平面視で縦方向（紙面上下方向）に長い矩形状とされている。
【００１７】
第２液晶ライトバルブ４は、第１液晶ライトバルブ３同様、透過型の液晶ライトバルブであり、第１偏光ビームスプリッタ２によって分光された照明光のうち横偏光光が照射される位置に配置されている。図３は、第２液晶ライトバルブ４の一部を拡大した平面図である。この図に示すように、第２液晶ライトバルブ４は、赤色カラーフィルタを有するサブピクセルＲ２と、緑色カラーフィルタを有するサブピクセルＧ２と、青色カラーフィルタを有するサブピクセルＢ２とが隣接配置されることによって構成されるピクセルＰ２がストライプ配列されている。なお、本実施形態においては、第２液晶ライトバルブ４も、照明光を透過する際には、その偏光方向を変化させることなく透過するものとする。また、図３に示すように、本実施形態においては、液晶ライトバルブ４のサブピクセルＲ２，Ｇ２，Ｂ２も平面視で縦方向（紙面上下方向）に長い矩形状とされている。
そして、本実施形態の画像表示装置Ｓ１においては、図２と図３を比較することによって分かるように、第２液晶ライトバルブ４のサブピクセルＲ２，Ｇ２，Ｂ２の配置が、第１液晶ライトバルブ３のサブピクセルＲ１，Ｒ２，Ｒ３に対してサブピクセルの横方向にピクセル幅Ｄの１／３ずらされている。
【００１８】
図１に戻り、第２偏光ビームスプリッタ５は、第１液晶ライトバルブ３によって変調された照明光と第２液晶ライトバルブ４によって変調された照明光とを合成して射出するものである。なお、本実施形態においては、第２偏光ビームスプリッタ５は、照明光のうち縦偏光光である第１液晶ライトバルブ３によって変調された照明光を投射レンズ方向に反射し、横偏光光である第２液晶ライトバルブ４によって変調された照明光を透過することによって、照明光を合成するものとする。
【００１９】
投射レンズ６は、第２偏光ビームスプリッタ５から入射される照明光、すなわち第１液晶ライトバルブ３及び第２液晶ライトバルブ４によって変調された照明光を画像表示面であるスクリーン７に拡大投影するものである。
【００２０】
なお、本実施形態の画像表示装置Ｓ１においては、第１偏光ビームスプリッタ２と第２液晶ライトバルブ４との間に第１偏光ビームスプリッタ２から射出された横偏光光を第２液晶ライトババルブ４方向に反射する反射ミラー８と、第１液晶ライトバルブ３と第２偏光ビームスプリッタ５との間に第１液晶ライトバルブ３によって変調された照明光を第２偏光ビームスプリッタ５方向に反射する反射ミラー９とが配置されている。
【００２１】
また、本実施形態の画像表示装置Ｓ１は、装置構成を簡略化するために、ランプ光源１及び投射レンズ６を１つしか備えていないが、各液晶ライトバルブ３，４に対して１つずつランプ光源１及び投射レンズ６を配置しても良い。このような構成を採用する場合には、２台の液晶プロジェクタから単一のスクリーン７に対して画像を表示することとなる。逆に言い換えれば、本実施形態の画像表示装置Ｓ１は、通常２台設置されるプロジェクタのランプ光源と投射レンズとを兼用している。
【００２２】
次に、このように構成された本実施形態の画像表示装置Ｓ１の動作について説明する。
【００２３】
まず、ランプ光源１から射出された照明光は、第１偏光ビームスプリッタ２に入射し、当該第１偏光ビームスプリッタ２によって、縦偏光光と横偏光光とに分離されて射出される。具体的には、照明光のうち縦偏光光は、第１偏光ビームスプリッタ２を透過して射出され、照明光のうち横偏光光は、第１偏光ビームスプリッタ２によって反射されて図１の紙面下方向に射出される。
【００２４】
そして、縦偏光光は、第１液晶ライトバルブ３を透過することによって変調された後、反射ミラー９を介して第２偏光ビームスプリッタ５に入射する。
また、横偏光光は、反射ミラー８によって反射された後、第２液晶ライトバルブ４を透過することによって変調され、その後第２偏光ビームスプリッタ５に入射する。
【００２５】
第２偏光ビームスプリッタ５に入射した縦偏光光及び横偏光光は、第２偏光ビームスプリッタ５において合成された後、射出される。具体的には、縦偏光光が第２偏光ビームスプリッタ５によって反射され、横偏光光が第２偏光ビームスプリッタ５を透過することによって、これらの縦偏光光と横偏光光とが合成され射出される。
【００２６】
その後、第２偏光ビームスプリッタ５から射出した照明光は、投射レンズ６に入射し、当該投射レンズ６によってスクリーン７に拡大投射される。その結果、スクリーン７上に画像が表示される。
【００２７】
ここで、本実施形態の画像表示装置Ｓ１においては、図２及び図３に示すように、第２液晶ライトバルブ４のサブピクセルＲ２，Ｇ２，Ｂ２の配置が、第１液晶ライトバルブ３のサブピクセルＲ１，Ｒ２，Ｒ３に対してサブピクセルの横方向にピクセル幅Ｄの１／３ずらされている。このため、図４に示すように、第１液晶ライトバルブ３の所定サブピクセルＲ１，Ｇ１，Ｂ１を透過する照明光のスクリーン７における表示領域（以下、第１表示領域と称する）と、第２液晶ライトバルブ４の上記所定サブピクセルＲ１，Ｇ１，Ｂ１と同一色のカラーフィルタを有する同一色サブピクセルＲ２，Ｇ２，Ｂ２を透過する照明光のスクリーン７における表示領域（以下、第２表示領域と称する）とがずれる。なお、図４においては、第１液晶ライトバルブ３のサブピクセルＲ１を透過した照明光が照明される領域をサブピクセルＲ１と同一符号で示し、第１液晶ライトバルブ３のサブピクセルＧ１を透過した照明光が照明される領域をサブピクセルＧ１と同一符号で示し、第１液晶ライトバルブ３のサブピクセルＢ１を透過した照明光が照明される領域をサブピクセルＢ１と同一符号で示し、第２液晶ライトバルブ４のサブピクセルＲ２を透過した照明光が照明される領域をサブピクセルＲ２と同一符号で示し、第２液晶ライトバルブ４のサブピクセルＧ２を透過した照明光が照明される領域をサブピクセルＧ２と同一符号で示し、第２液晶ライトバルブ４のサブピクセルＢ２を透過した照明光が照明される領域をサブピクセルＢ２と同一符号で示している。
【００２８】
そして、上述のように、第１表示領域Ｒ１，Ｇ１，Ｂ１と第２表示領域Ｒ２，Ｇ２，Ｂ２とがずれることによって、第１表示領域のＲ１と第２表示領域のＲ２、第１表示領域のＧ１と第２表示領域のＧ２及び第１表示領域のＢ１と第２表示領域のＢ２が完全に重なり合わないため、黒表示の領域を減少させることができる。具体的には、例えば、スクリーン７上に赤色の画像を表示する場合には、図５に示すように、第１表示領域のＧ１上に第２表示領域Ｒ２の画像が表示されるため、実際に黒表示となるのは、第１表示領域のＢ１と第２表示領域のＧ２とが重なる領域のみとされる。したがって、本実施形態の画像表示装置Ｓ１によれば、スクリーン７上に平面視画像を表示する場合、すなわち、第１液晶ライトバルブ３を介して投射される照明光による画像と第２液晶ライトバルブ４を介して投射される照明光による画像とが同一である場合に、サブピクセルの黒表示に起因する表示特性の劣化を抑止することが可能となる。
【００２９】
また、本実施形態の画像表示装置においては、第２液晶ライトバルブ４のサブピクセルＲ２，Ｇ２，Ｂ２の配置が、第１液晶ライトバルブ３のサブピクセルＲ１，Ｇ１，Ｇ１に対してサブピクセルの横方向にピクセル幅Ｄの１／３ずらされているため、第１表示領域のＲ１と第２表示領域のＲ２、第１表示領域のＧ１と第２表示領域のＧ２、第１表示領域のＢ１と第２表示領域のＢ２とが重なり合う領域が存在しない。このため、より黒表示の領域を減少させることができ、サブピクセルの黒表示に起因する表示特性の劣化をより抑止することが可能となる。
なお、本実施形態の画像表示装置Ｓ１の液晶ライトバルブ３，４のように、３色のサブピクセルから１ピクセルが構成されている場合には、第２液晶ライトバルブ４のサブピクセルＲ２，Ｇ２，Ｂ２の配置が、第１液晶ライトバルブ３のサブピクセルＲ１，Ｇ１，Ｂ１に対してサブピクセルの横方向にピクセル幅Ｄの１／３〜２／３ずらされている場合には、第１表示領域のＲ１と第２表示領域のＲ２、第１表示領域のＧ１と第２表示領域のＧ２、第１表示領域のＢ１と第２表示領域のＢ２とが重なり合う領域が存在しないため、この範囲であれば本実施形態の画像表示装置Ｓ１と同様の効果を奏することができる。
【００３０】
また、本実施形態の画像表示装置Ｓ１においては、ピクセルＰ１，Ｐ２が赤色カラーフィルタを有するサブピクセルＲ１，Ｒ２、緑色カラーフィルタを有するサブピクセルＧ１，Ｇ２及び青色カラーフィルタを有するＢ１，Ｂ２を備えて構成されているため、フルカラーの画像をスクリーン７に表示することができる。
また、サブピクセル同士が隣接配置されているため、サブピクセル間におけるブラックマトリクス等に起因する表示特性の劣化をも抑止することができる。
【００３１】
なお、上述の説明においては、本第１実施形態の画像表示装置１において平面画像を表示する場合においてのみ説明したが、本第１実施形態の画像表示装置Ｓ１において、第１液晶ライトバルブ３によって変調される照明光によって視差画像のうち右目用画像（あるいは左目用画像）を表示し、第２液晶ライトバルブ４によって変調される照明光によって視差画像のうち左目用画像（あるいは右目用画像）を表示し、さらに鑑賞者が、右目用画像の画像光のみを透過する右目用透過部と左目用画像の画像光のみを透過する左目用透過部とを備える眼鏡を装着することによって、鑑賞者に対して立体画像を視認させることもできる。具体的には、本第１実施形態の画像表示装置１においては、上述のように、第１液晶ライトバルブ３によって変調される照明光と第２液晶ライトバルブ４によって変調される照明光の偏光方向が異なっている。このため、第１液晶ライトバルブ３を介して投影される画像の画像光と第２液晶ライトバルブ４を介して投影される画像の画像光の偏光方向が異なる。したがって、眼鏡の右目用透過部を縦偏光光のみを透過する偏光板から構成し、眼鏡の左目用透過部を横偏光光のみを透過する偏光板から構成することによって、右目用画像の画像光のみを鑑賞者の右目に到達させ、左目用画像の画像光のみ鑑賞者の左目に到達させることができ、鑑賞者に立体画像を視認させることができる。
逆に、鑑賞者に対して平面画像のみで立体画像を視認させる必要がない場合には、スクリーン７上において、第１液晶ライトバルブ３によって変調される照明光の偏光方向と第２液晶ライトバルブ４によって変調される照明光の偏光方向とが同一方向であっても構わない。
【００３２】
（第２実施形態）
次に、本発明の第２実施形態について説明する。なお、本第２実施形態の説明において、上記第１実施形態と同様の部分については、その説明を省略あるいは簡略化する。
【００３３】
本第２実施形態の画像表示装置は、図６に示すように、第２液晶ライトバルブ４のピクセルＰ２が平面視で横方向に長い矩形状のサブピクセルＲ３，Ｇ３，Ｂ３によって構成されている。
【００３４】
このような構成を有する本第２実施形態の画像表示装置においては、図７に示すように、第１表示領域と、第２液晶ライトバルブ４の上記所定サブピクセルＲ１，Ｇ１，Ｂ１と同一色のカラーフィルタを有する同一色サブピクセルＲ３，Ｇ３，Ｂ３を透過する照明光のスクリーン７における表示領域（以下、第３表示領域と称する）とがずれる。なお、図７においては、第２液晶ライトバルブ４のサブピクセルＲ３を透過した照明光が照明される領域をサブピクセルＲ３と同一符号で示し、第２液晶ライトバルブ４のサブピクセルＧ３を透過した照明光が照明される領域をサブピクセルＧ３と同一符号で示し、第２液晶ライトバルブ４のサブピクセルＢ３を透過した照明光が照明される領域をサブピクセルＢ３と同一符号で示している。
【００３５】
そして、上述のように、第１表示領域Ｒ１，Ｇ１，Ｂ１と第３表示領域Ｒ３，Ｇ３，Ｂ３とがずれることによって、第１表示領域Ｒ１，Ｇ１，Ｂ１と第３表示領域Ｒ３，Ｇ３，Ｂ３とが完全に重なり合わないため、黒表示の領域を減少させることができる。このため、上記第１実施形態の画像表示装置Ｓ１と同様の効果を奏することができる。また、本実施形態の画像表示装置によれば、第２液晶ライトバルブ４のピクセルＰ２が平面視で横方向に長い矩形状のサブピクセルＲ３，Ｇ３，Ｂ３によって構成されているため、スクリーン７において、各ピクセルのサブピクセルの黒表示に起因する黒表示エリアが連続となることを抑止することができる。このため、鑑賞者がスクリーン７上に黒筋を視認することをより抑止することが可能となる。
【００３６】
以上、添付図面を参照しながら本発明に係る画像表示装置の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【図面の簡単な説明】
【００３７】
【図１】本発明の第１実施形態の画像表示装置の概略構成図である。
【図２】第１液晶ライトバルブの一部を拡大した平面図である。
【図３】第２液晶ライトバルブの一部を拡大した平面図である。
【図４】本発明の第１実施形態の画像表示装置の動作を説明するための図である。
【図５】本発明の第１実施形態の画像表示装置の動作を説明するための図である。
【図６】本発明の第２実施形態の画像表示装置が備える第２液晶ライトバルブの一部を拡大した平面図である。
【図７】本発明の第２実施形態の画像表示装置の動作を説明するための図である。
【符号の説明】
【００３８】
Ｓ１……画像表示装置、３……第１液晶ライトバルブ（第１透過型液晶ライトバルブ）、４……第２液晶ライトバルブ（第２透過型液晶ライトバルブ）、６……投射レンズ（光学系）、７……スクリーン（画像表示面）、Ｒ１，Ｒ２，Ｒ３，Ｇ１，Ｇ２，Ｇ３，Ｂ１，Ｂ２，Ｂ３……サブピクセル、Ｐ１，Ｐ２……ピクセル
【図１】
2006208922.tif 000003
【図２】
2006208922.tif 000004
【図３】
2006208922.tif 000005
【図４】
2006208922.tif 000006
【図５】
2006208922.tif 000007
【図６】
2006208922.tif 000008
【図７】
2006208922.tif 000009